【手続補正書】
【提出日】平成22年4月8日(2010.4.8)
【手続補正１】
【補正対象書類名】特許請求の範囲
【補正対象項目名】全文
【補正方法】変更
【補正の内容】
【特許請求の範囲】
【請求項１】
入力画像データに対して色変換処理を行う画像処理方法であって、
入力画像撮影時の日時に関する情報を取得し、
入力画像撮影時の位置に関する情報と入力画像撮影時の天気に関する情報の少なくともいずれかを取得し、
取得した前記入力画像撮影時の日時に関する情報と、取得した前記入力画像撮影時の位置に関する情報と前記入力画像撮影時の天気に関する情報の少なくともいずれかの情報とに基づき、入力画像撮影時の視環境および前記視環境に順応している度合いを示す順応ファクタの少なくともいずれかを設定し、
設定した前記入力画像撮影時の視環境および前記視環境に順応している度合いを示す順応ファクタの少なくともいずれかに基づき、入力画像撮影時の見えと出力画像観察時の見えが近くなるように前記色変換処理を行うことを特徴とする画像処理方法。
【請求項２】
請求項１に記載の画像処理方法において、
前記入力画像撮影時の位置に関する情報と前記入力画像撮影時の天気に関する情報のいずれも取得し、
取得した前記入力画像撮影時の日時に関する情報と、取得した前記入力画像撮影時の位置に関する情報と、取得した前記入力画像撮影時の天気に関する情報とに基づき、前記色変換処理を行うことを特徴とする画像処理方法。
【請求項３】
請求項１または２に記載の画像処理方法において、
取得した前記入力画像撮影時の日時に関する情報と、取得した前記入力画像撮影時の位置に関する情報と前記入力画像撮影時の天気に関する情報の少なくともいずれかの情報とに基づき、撮影シーンの解析を行い、
前記撮影シーンの解析結果に基づき、前記色変換処理を行うことを特徴とする画像処理方法。
【請求項４】
請求項１から３のいずれかに記載の画像処理方法において、
出力画像観察時の位置に関する情報、日時に関する情報、照明条件、天気に関する情報の少なくともいずれかを取得し、
取得した前記出力画像観察時の情報を使用して前記色変換処理を行うことを特徴とする画像処理方法。
【請求項５】
請求項２に記載の画像処理方法において、
取得した前記入力画像撮影時の日時に関する情報と、取得した前記入力画像撮影時の位置に関する情報と、取得した前記入力画像撮影時の天気に関する情報とに基づき、撮影時間帯、撮影場所、撮影時の季節、撮影時の天気を含む撮影シーンの解析を行い、
前記解析した撮影時間帯、撮影場所、撮影時の季節、撮影時の天気に基づき、撮影時の照明に関する情報を求め、
前記求めた撮影時の照明に関する情報に基づき、前記色変換処理を行うことを特徴とする画像処理方法。
【請求項６】
請求項１から５の何れかに記載の画像処理方法をコンピュータに実行させる画像処理プログラム。
【請求項７】
請求項６に記載の画像処理プログラムを搭載する画像処理装置。
【請求項８】
画像処理装置であって、
被写体を撮像する撮像手段と、
表示手段と、
画像撮影時の日時に関する情報を取得し、画像撮影時の位置に関する情報と画像撮影時の天気に関する情報の少なくともいずれかを取得する撮影情報取得手段と、
取得した前記入力画像撮影時の日時に関する情報と、取得した前記入力画像撮影時の位置に関する情報と前記入力画像撮影時の天気に関する情報の少なくともいずれかの情報とに基づき、入力画像撮影時の視環境および前記視環境に順応している度合いを示す順応ファクタの少なくともいずれかを設定し、設定した前記入力画像撮影時の視環境および前記視環境に順応している度合いを示す順応ファクタの少なくともいずれかに基づき、入力画像撮影時の見えと出力画像観察時の見えが近くなるように前記色変換処理を行う色変換処理手段と、
前記色変換処理手段により色変換された画像を前記表示手段に表示するよう制御する制御手段とを備えることを特徴とする画像処理装置。
【請求項９】
請求項８に記載の画像処理装置において、
測光手段をさらに備え、
前記色変換処理手段は、前記測光手段により取得された測光データおよび前記表示手段の照明条件に基づいて、前記表示手段による画像観察時の視環境を設定することを特徴とする画像処理装置。
【請求項１０】
請求項７から９のいずれかに記載の画像処理装置の構成を備えることを特徴とするカメラ。
【手続補正２】
【補正対象書類名】明細書
【補正対象項目名】０００５
【補正方法】変更
【補正の内容】
【０００５】
請求項１の発明は、入力画像データに対して色変換処理を行う画像処理方法に適用され、入力画像撮影時の日時に関する情報を取得し、入力画像撮影時の位置に関する情報と入力画像撮影時の天気に関する情報の少なくともいずれかを取得し、取得した入力画像撮影時の日時に関する情報と、取得した入力画像撮影時の位置に関する情報と入力画像撮影時の天気に関する情報の少なくともいずれかの情報とに基づき、入力画像撮影時の視環境および視環境に順応している度合いを示す順応ファクタの少なくともいずれかを設定し、設定した入力画像撮影時の視環境および視環境に順応している度合いを示す順応ファクタの少なくともいずれかに基づき、入力画像撮影時の見えと出力画像観察時の見えが近くなるように色変換処理を行うことを特徴とするものである。
請求項２の発明は、請求項１に記載の画像処理方法において、入力画像撮影時の位置に関する情報と入力画像撮影時の天気に関する情報のいずれも取得し、取得した入力画像撮影時の日時に関する情報と、取得した入力画像撮影時の位置に関する情報と、取得した入力画像撮影時の天気に関する情報とに基づき、色変換処理を行うことを特徴とするものである。
請求項３の発明は、請求項１または２に記載の画像処理方法において、取得した入力画像撮影時の日時に関する情報と、取得した入力画像撮影時の位置に関する情報と入力画像撮影時の天気に関する情報の少なくともいずれかの情報とに基づき、撮影シーンの解析を行い、撮影シーンの解析結果に基づき、色変換処理を行うことを特徴とするものである。
請求項４の発明は、請求項１から３のいずれかに記載の画像処理方法において、出力画像観察時の位置に関する情報、日時に関する情報、照明条件、天気に関する情報の少なくともいずれかを取得し、取得した出力画像観察時の情報を使用して色変換処理を行うことを特徴とするものである。
請求項５の発明は、請求項２に記載の画像処理方法において、取得した入力画像撮影時の日時に関する情報と、取得した入力画像撮影時の位置に関する情報と、取得した入力画像撮影時の天気に関する情報とに基づき、撮影時間帯、撮影場所、撮影時の季節、撮影時の天気を含む撮影シーンの解析を行い、解析した撮影時間帯、撮影場所、撮影時の季節、撮影時の天気に基づき、撮影時の照明に関する情報を求め、求めた撮影時の照明に関する情報に基づき、色変換処理を行うことを特徴とするものである。
請求項６の発明は、画像処理プログラムに適用され、請求項１から５の何れかに記載の画像処理方法をコンピュータに実行させる画像処理プログラムとするものである。
請求項７の発明は、画像処理装置に適用され、請求項６に記載の画像処理プログラムを搭載する画像処理装置とするものである。
請求項８の発明は、画像処理装置に適用され、被写体を撮像する撮像手段と、表示手段と、画像撮影時の日時に関する情報を取得し、画像撮影時の位置に関する情報と画像撮影時の天気に関する情報の少なくともいずれかを取得する撮影情報取得手段と、取得した前記入力画像撮影時の日時に関する情報と、取得した前記入力画像撮影時の位置に関する情報と前記入力画像撮影時の天気に関する情報の少なくともいずれかの情報とに基づき、入力画像撮影時の視環境および視環境に順応している度合いを示す順応ファクタの少なくともいずれかを設定し、設定した入力画像撮影時の視環境および視環境に順応している度合いを示す順応ファクタの少なくともいずれかに基づき、入力画像撮影時の見えと出力画像観察時の見えが近くなるように色変換処理を行う色変換処理手段と、色変換処理手段により色変換された画像を表示手段に表示するよう制御する制御手段とを備えることを特徴とするものである。
請求項９の発明は、請求項８に記載の画像処理装置において、測光手段をさらに備え、色変換処理手段は、測光手段により取得された測光データおよび表示手段の照明条件に基づいて、表示手段による画像観察時の視環境を設定することを特徴とするものである。
請求項１０の発明は、カメラに適用され、請求項７から９のいずれかに記載の画像処理装置の構成を備えるカメラとするものである。